(57)【要約】【課題】  誰でも簡単な操作により、Ｃｏｃｋｃｒｏｆｔ−Ｇａｕｌｔ式により算出されるクレアチニンクリアランス（Ｃｃｒ）推定値が容易に算出できるスケールの提供。【解決手段】  鞘状をなし、内部に後記滑り尺を有す固定尺２と、その固定尺の中を左右自在に動く、滑り尺８からなる。固定尺２には上部に長方形の開口窓３、下部に開口窓４を形成し、開口窓３の上縁に年齢目盛り５を表示する。開口窓４の上下に、男女のクレアチニンクリアランス（Ｃｃｒ）推定目盛り６．７を表示する。滑り尺８の固定尺２の窓穴３から露出する部分に開口窓上縁部に沿って体重目盛り９を表示し、固定尺２の窓穴４から露出する部分に開口窓上下縁部に沿って血清クレアチン値（血清Ｃｒ）の目盛り１０を表示する。【選択図】図１
0003129534.tif 000002
【実用新案登録請求の範囲】
【請求項１】
Ｃｏｃｋｃｒｏｆｔ−Ｇａｕｌｔ式である推算式により算出されるクレアチニンクリアランス推定値を求めるクレアチニンクリアランス推定スケールであって、前記推算式の年齢を対数目盛で表した年齢目盛り、および前記推算式のクレアチニンクリアランス推定値を対数目盛で表したＣｃｒ目盛りを有する第１スケールと、
前記推算式の体重を対数目盛で表した体重目盛り、および前記推算式の血清クレアチン値を対数目盛で表した血清Ｃｒ目盛りを有する第２スケールと、備え
前記年齢目盛りと体重目盛りとを対応させると共に、前記Ｃｃｒ目盛りと前記血清Ｃｒ目盛りを対応させ、
且つ前記第１スケールおよび前記第２スケールの一方を固定尺とし他方を滑り尺としたことを特徴とするクレアチニンクリアランス推定スケール。
【請求項２】
前記年齢目盛りは、１４０から年齢を減算した数値に基づいて作成された対数目盛の目盛り値を、本来の年齢値に変更することで、作成されていることを特徴とする請求項１に記載のクレアチニンクリアランス推定スケール。
【考案の詳細な説明】
【技術分野】
【０００１】  本考案は、成人の腎臓機能の推算式の１つであるＣｏｃｋｃｒｏｆｔ−Ｇａｕｌｔ式により算出されるクレアチニンクリアランス（Ｃｃｒ）推定値が、容易に把握可能な、クレアチニンクリアランス  推定スケールに関するもの。
【背景技術】
【０００２】    この種のスケールとして、対象者の体重および身長から肥満度を求めるものが知られている。
【特許文献１】    実用新案登録第３１１２２７２号
【考案の開示】
【考案が解決しようとする課題】
【０００３】    ところで成人の腎臓クリアランス試験で、採尿を行わないで、体重、年齢、血清クレアチン値（血清Ｃｒ）から値を推定する推算式は、健診ドック、腎排泄性薬物投与などでも使用されている。このクレアチニンクリアランス（Ｃｃｒ）推定推算式の１つであるＣｏｃｋｃｒｏｆｔ−Ｇａｕｌｔ式は、下記式で求められる。
【数１】
0003129534.tif 000003
【数２】
0003129534.tif 000004
一方、このＣｏｃｋｃｒｏｆｔ−Ｇａｕｌｔ式に基づいた従来のようなスケールは、存在しない。【０００４】    本考案は固定尺と滑り尺を用いることにより、従来行っていたクレアチニンクリアランス（Ｃｏｒ）値を推定する計算をすることなく、誰でも簡単に知ることができるようにしたクレアチニンクリアランス推定スケールの提供を目的としている。
【課題を解決するための手段】
【０００５】    本考案の要旨とするところは、鞘状になった固定尺と、そのの中を、長さ方向に滑る、滑り尺とで構成し、この固定尺、滑り尺に対数目盛で作成された、身長の目盛り、クレアチニンクリアランス（Ｃｃｒ）推定値の目盛、体重の目盛り、血清クレアチン値（血清Ｃｒ））の目盛りを表示し、滑り尺を動かし、固定尺の窓部で目盛りを合わせ、読みとることにより、数１、数２の計算が容易に算出できるようにしたクレアチニンクリアランス推定スケール。
【考案の効果】
【０００６】    本考案は上記のような構成、作用であるから、誰でも簡単な操作によりクレアチニンクリアランス（Ｃｃｒ）推定値を算出することができるものである。
【考案を実施するための最良の形態】
【０００７】    鞘状になった固定尺と、その固定尺の中を、長さ方向に滑る、滑り尺とで構成され、固定尺の表面に、長方形の上下２つの開口窓を有する。上の窓上縁部に沿って身長の目盛りを表示し、下の窓の下縁部に沿って、男性用、上縁部に沿って女性用のクレアチニンクリアランス（Ｃｃｒ）推定値の目盛を表示し、他方前記滑り尺の表面に、固定尺の上の窓から見える部分に窓の上縁に沿って体重の目盛りを表示し、下の窓から見える部分に窓の上下縁に血清クレアチン値（血清Ｃｒ）の目盛りを表示する
【実施例】
【０００８】    以下、本考案の実施の形態について図面を参照し説明します。
図１は本考案の正面図、図２は固定尺の正面図、図３は滑り尺の正面図、【０００９】    図中１はクレアチニンクリアランス推定スケールであり、後記固定尺と滑り尺からなるものである。【００１０】    ２は鞘状で内部を長手方向に滑り尺が動く固定尺で、表面上方に長方形の窓３を有し窓の上縁部に対数目盛で表された年齢目盛り５を表示する。表面下方に長方形の窓４を有し、窓の上下縁部に対数目盛で表されたクレアチニンクリアランス（Ｃｃｒ）推定目盛り、男性用６、女性用７を表示する。【００１１】    ８は前記固定尺の内部を長手方向へ可動する帯状の滑り尺である。滑り尺８の表面上方には固定尺２の上側窓３の上縁に露出するよう対数目盛で表された体重目盛り９を表示し、滑り尺８の表面下方には、固定尺２の下側窓４の上下縁に露出するよう対数目盛で表された血清クレアチン値（血清Ｃｒ）目盛り１０を表示している。【００１２】    年齢目盛り、体重目盛り、血清クレアチン値（血清Ｃｒ）目盛り、男性用クレアチニンクリアランス（Ｃｃｒ）推定目盛り、女性用クレアチニンクリアランス（Ｃｃｒ）推定目盛りの５種の目盛りは、すべて対数目盛で作成する。【００１３】    対数目盛は、倍率に対する距離巾を決めれば、目盛りの作成、数値の記入をすることにより、目盛りとしての形態を表すことができる。【００１４】    ５種の目盛りは、基本的に倍率に対する距離巾が同一の対数目盛とする。【００１５】    ５種の目盛りのうち、年齢目盛りは数１、数２内にある「１４０−年齢」があるため数値の記載を下記のように、加工する。
【表１】
0003129534.tif 000005
【００１６】    対数目盛作成条件の倍率に対する距離巾は、（１４０−本来の年齢値）であるため、表１の上の数値が対数目盛作成条件であるが、表１の下の数値（本来の年齢の数値）に変更して表示する。これは（１４０−年齢）をあらかじめ計算したことになるからである。【００１７】    以下に５つの目盛りの設定位置関係を説明する。
数１を満たすための簡単な一例として、年齢６８歳、体重６０ｋｇ、血清Ｃｒ：１．０のＣｃｒ推定値は６０となる。
この計算値関係を利用した一例として、固定尺の年齢目盛り６８と滑り尺の体重目盛り６０を合わせたとき、滑り尺の血清Ｃｒ目盛り１．０と固定尺の男性用Ｃｃｒ推定値目盛りが６０となるようそれぞれの目盛りの位置を設定する。【００１８】    固定尺の女性用Ｃｃｒ推定値目盛りの設定位置は、数２の通り男性用Ｃｃｒ推定値に０．８５を乗算した値になることから、男性用Ｃｃｒ推定値目盛りの８０が女性用Ｃｃｒ推定目盛りの６８となるように目盛りの位置を設定する。【００１９】    ５つの目盛りは、クレアチニンクリアランス推定目盛りの女性用と男性用は、色を変える、血清クレアチン値目盛りの色を変える、目盛り、数値を抜き文字などにしても良い。この場合には、一層数値の読みとりが、し易くなる。【００２０】    固定尺に表した年齢目盛り、滑り尺に表した体重目盛りは、固定尺に体重目盛り、滑り尺に年齢目盛を表しても良い。又、固定尺に表した男性用クレアチニンクリアランス（Ｃｃｒ）推定目盛り、女性用クレアチニンクリアランス（Ｃｃｒ）推定目盛、滑り尺に表した血清クレアチン値（血清Ｃｒ）目盛りも、表す固定尺、滑り尺を逆に変えても良い。
この場合でも同様の計算機能を果たす。【００２１】    次に本考案の使用方法について説明する。
図１において滑り尺８を動かして、Ｃｃｒ推定する人の年齢目盛り５と体重目盛り９を一致させる。その状態で、あらかじめ把握している滑り尺８の血清クレアチン値（血清Ｃｒ）の目盛り１０に合致する固定尺２のクレアチニンクリアランス推定目盛り、男性用は６、女性用は７の目盛りを読みとればクレアチニンクリアランス（Ｃｃｒ）推定値が簡単にわかるものである。
【図面の簡単な説明】
【００２２】
【図１】本考案の正面図である。
【図２】固定尺の正面図である。
【図３】滑り尺の正面図である。
【符号の簡単な説明】
【００２３】    １    クレアチニンクリアランス推定スケール
２    固定尺
３    窓穴
４    窓穴
５    年齢目盛り
６    クレアチニンクリアランス（Ｃｃｒ）推定値男性用目盛り
７    クレアチニンクリアランス（Ｃｃｒ）推定値女性用目盛り
８    滑り尺
９    体重目盛り
１０  血清クレアチン値（血清Ｃｒ）目盛り
【図１】
0003129534.tif 000006
【図２】
0003129534.tif 000007
【図３】
0003129534.tif 000008
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
Ｃｏｏｋｃｒｏｆｔ−Ｇａｕｌｔ式である推算式により算出されるクレアチニンクリアランス推定値を求めるクレアチニンクリアランス推定スケールであって、前記推算式の年齢を対数目盛で表した年齢目盛り、および前記推算式のクレアチニンクリアランス推定値を対数目盛で表したＣｃｒ目盛りを有する第１スケールと、
前記推算式の体重を対数目盛で表した体重目盛り、および前記推算式の血清クレアチン値を対数目盛で表した血清Ｃｒ目盛りを有する第２スケールと、を備え、前記年齢目盛りと体重目盛りとを目盛り合わせ可能に対応させると共に、前記Ｃｃｒ目盛りと前記血清Ｃｒ目盛りとを、前記血清Ｃｒ目盛りの目盛り値から前記Ｃｃｒ目盛りの目盛り値を読みとり可能に対応させ、
且つ前記第１スケールおよび前記第２スケールの一方を固定尺とし他方を滑り尺としたことを特徴とするクレアチニンクリアランス推定スケール。
【請求項２】
前記年齢目盛りは、１４０から年齢を減算した数値に基づいて作成された対数目盛の目盛り値を、本来の年齢値に変更することで、作成されていることを特徴とする請求項１に記載のクレアチニンクリアランス推定スケール。
【手続補正２】
【補正対象書類名】明細書
【補正対象項目名】０００５
【補正方法】変更
【補正の内容】
【０００５】    本考案の要旨とするところは、鞘状になった固定尺と、その中を、長さ方向に滑る、滑り尺とで構成し、この固定尺、滑り尺に対数目盛で作成された、年齢の目盛り、クレアチニンクリアランス（Ｃｃｒ）推定値の目盛り、体重の目盛り、血清クレアチン値（血清Ｃｒ）の目盛りを表示し、滑り尺を動かし、固定尺の窓部で目盛りを合わせ、読みとることにより、数１、数２の計算が容易に算出できるようにしたクレアチニンクリアランス推定スケール。
【手続補正３】
【補正対象書類名】明細書
【補正対象項目名】０００７
【補正方法】変更
【補正の内容】
【０００７】    鞘状となった固定尺と、その固定尺の中を、長さ方向に滑る、滑り尺とで構成され、固定尺の表面に、長方形の上下２つの開口窓を有する。上の窓上縁部に沿って年齢の目盛りを表示し、下の窓の下縁部に沿って、男性用、上縁部に沿って女性用のクレアチニンクリアランス（Ｃｃｒ）推定値の目盛りを表示し、他方前記滑り尺の表面に、固定尺の上の窓から見える部分に窓の上縁に沿って体重の目盛りを表示し、下の窓から見える部分に窓の上下縁に血清クレアチン値（血清Ｃｒ）の目盛りを表示する。